(57)【要約】【課題】入力された画像データに視覚的な演出効果を簡易に付与する。【解決手段】入力された画像データを記憶するフレームメモリー１５５と、フレームメモリー１５５に記憶された画像データのうち、所定の条件を満たし、予め設定された大きさよりも大きい領域を特定する領域特定部１７２と、領域特定部１７２により特定された領域に応じた画像処理を施して表示用の画像データを生成する画像生成部としての領域設定部１７３及び画像処理部１５３と、生成された表示用の画像データを表示する投射部１１０とを備えるプロジェクター１００。【選択図】図１
2018163285.tif 000002
【特許請求の範囲】
【請求項１】
入力された画像データを記憶する第１記憶部と、
前記第１記憶部に記憶された前記画像データのうち、所定の条件を満たし、予め設定された大きさよりも大きい領域を特定する領域特定部と、
前記領域特定部により特定された前記領域に応じた画像処理を施して表示用の画像データを生成する画像生成部と、
前記画像生成部が生成した前記表示用の画像データを表示する表示部と、
を備える表示装置。
【請求項２】
予め設定された形状の画像データを処理対象として前記画像処理を行う画像フィルターを記憶する第２記憶部を備え、
前記画像生成部は、前記領域特定部により特定された前記領域の形状に対応した形状が前記予め設定された形状である前記画像フィルターを選択して、選択した前記画像フィルターにより前記画像処理を施し、特定された前記領域の大きさと、前記画像フィルターが処理対象とする領域の形状の大きさとが異なる場合に、前記画像フィルターが前記画像処理を行う領域の大きさを拡大又は縮小する請求項１記載の表示装置。
【請求項３】
操作を受け付ける操作受付部と、
予め設定された形状の画像データを処理対象として前記画像処理を行う画像フィルターを複数記憶する第２記憶部と、
前記画像生成部は、前記領域特定部により特定された前記領域の形状に近似する形状が前記予め設定された形状である前記画像フィルターを前記表示部に表示させ、前記操作受付部が受け付けた操作により選択された前記画像フィルターにより、前記画像処理を行う請求項１記載の表示装置。
【請求項４】
操作を受け付ける操作受付部と、
予め設定された形状の画像データを処理対象として前記画像処理を行う画像フィルターを複数記憶する第２記憶部を備え、
前記画像生成部は、前記領域特定部により前記画像データの複数の領域が特定された場合に、複数の前記領域を包含する形状に対応した形状が前記予め設定された形状である前記画像フィルターと、複数の前記領域の各々の形状に対応した形状が前記予め設定された形状である前記画像フィルターとを前記表示部に表示させ、前記操作受付部が受け付けた操作により選択された前記画像フィルターにより前記画像処理を行う請求項１に記載の表示装置。
【請求項５】
前記領域特定部は、前記画像データの色情報に基づいて前記所定の条件を満たす前記領域を特定する請求項１から４のいずれか１項に記載の表示装置。
【請求項６】
前記領域特定部は、前記画像データを構成する画素の画素値が、予め設定された範囲内にある領域を背景領域と判定し、判定した前記背景領域以外の前記画像データの領域であって、前記領域の大きさが、予め設定された大きさよりも大きい領域を前記領域として特定する請求項１から５のいずれか１項に記載の表示装置。
【請求項７】
前記領域特定部は、前記画像データの輝度情報に基づいて前記所定の条件を満たす前記領域を特定する請求項１から４のいずれか１項に記載の表示装置。
【請求項８】
入力された画像データを第１記憶部に記憶させること、
前記第１記憶部に記憶された前記画像データのうち、所定の条件を満たし、予め設定された大きさよりも大きい領域を特定すること、
特定された前記領域に応じた画像処理を施して表示用の画像データを生成すること、
前記表示用の画像データを表示部に表示させること、
を有することを特徴とする表示装置の制御方法。
【発明の詳細な説明】
【技術分野】
【０００１】
本発明は、表示装置及び表示装置の制御方法に関する。
【背景技術】
【０００２】
従来、入力された画像データを処理して、表示する画像の視覚的な演出を付与する表示装置が知られている（例えば、特許文献１参照）。
特許文献１の装置は、明るさが異なる複数のテストパターンを投射面に投射して、複数のテストパターンを撮像した複数の撮像画像の差分値と、所定のしきい値とを比較して、投射面の画像が表示されない非表示領域をマスクするマスク情報を生成する。また、特許文献１の装置は、生成したマスク情報により映像光をマスクすることで、投射面の非表示領域に対応する領域を黒表示させる。
【先行技術文献】
【特許文献】
【０００３】
【特許文献１】特開２０１１−８２７９８号公報
【発明の概要】
【発明が解決しようとする課題】
【０００４】
ところで、画像データに視覚的な演出効果を付与するためには、演出効果を付与するための画像データの領域を特定し、特定した領域に画像フィルター等により処理を行う必要がある。しかし、画像データの解像度やアスペクト比が異なれば、画像フィルターを適用する領域を変更する操作を行わなければならず、操作に手間がかかる。また、特許文献１の装置は、投射面の表示領域の形状に合わせて明るさが異なる複数のテストパターンを生成しなければならないため手間がかかるという問題がある。さらに、特許文献１の装置は、マスク情報を生成するために複数のテストパターンを投射面にそれぞれ投射して、各テストパターンを撮像して撮像画像を生成しなければならず、マスク情報の生成に時間がかかるという問題がある。
本発明は、入力された画像データに視覚的な演出効果を簡易に付与することを目的とする。
【課題を解決するための手段】
【０００５】
上記課題を解決するために本発明の表示装置は、入力された画像データを記憶する第１記憶部と、前記第１記憶部に記憶された前記画像データのうち、所定の条件を満たし、予め設定された大きさよりも大きい領域を特定する領域特定部と、前記領域特定部により特定された前記領域に応じた画像処理を施して表示用の画像データを生成する画像生成部と、前記画像生成部が生成した前記表示用の画像データを表示する表示部と、を備える。
本発明によれば、領域特定部により、所定の条件を満たし、予め設定された大きさよりも大きい領域が特定され、画像生成部により、特定された領域に応じた画像処理を施して表示用の画像データが生成される。このため、表示装置に入力される画像データの解像度やアスペクト比が変更されても、所定の条件を満たす領域を特定し、この特定した領域に画像処理を施して表示用の画像データを生成することができる。従って、入力された画像データに視覚的な演出効果を簡易に付与することができる。
【０００６】
また、本発明は、予め設定された形状の画像データを処理対象として前記画像処理を行う画像フィルターを記憶する第２記憶部を備え、前記画像生成部は、前記領域特定部により特定された前記領域の形状に対応した形状が前記予め設定された形状である前記画像フィルターを選択して、選択した前記画像フィルターにより前記画像処理を施し、特定された前記領域の大きさと、前記画像フィルターが処理対象とする領域の形状の大きさとが異なる場合に、前記画像フィルターが前記画像処理を行う領域の大きさを拡大又は縮小する。
本発明によれば、領域特定部により特定された領域の形状に対応した形状で画像処理を行う画像フィルターにより画像処理を施される。また、特定された領域の大きさと、画像フィルターが処理対象とする領域の大きさとが異なる場合、画像フィルターが画像処理を行う領域の大きさが拡大又は縮小される。このため、特定した領域の形状及び大きさに対応した画像フィルターにより画像処理を行うことができる。
【０００７】
また、本発明は、操作を受け付ける操作受付部と、予め設定された形状の画像データを処理対象として前記画像処理を行う画像フィルターを複数記憶する第２記憶部と、前記画像生成部は、前記領域特定部により特定された前記領域の形状に近似する形状が前記予め設定された形状である前記画像フィルターを前記表示部に表示させ、前記操作受付部が受け付けた操作により選択された前記画像フィルターにより、前記画像処理を行う。
本発明によれば、特定された領域の形状に近似する形状が予め設定された形状である画像フィルターが表示部に表示される。また、本発明によれば、操作受付部が受け付けた操作により選択された画像フィルターにより画像処理が行われる。従って、特定された領域の形状に最も近い形状を処理対象とする画像フィルターを選択することができる。
【０００８】
また、本発明は、操作を受け付ける操作受付部と、予め設定された形状の画像データを処理対象として前記画像処理を行う画像フィルターを複数記憶する第２記憶部を備え、前記画像生成部は、前記領域特定部により前記画像データの複数の領域が特定された場合に、複数の前記領域を包含する形状に対応した形状が前記予め設定された形状である前記画像フィルターと、複数の前記領域の各々の形状に対応した形状が前記予め設定された形状である前記画像フィルターとを前記表示部に表示させ、前記操作受付部が受け付けた操作により選択された前記画像フィルターにより前記画像処理を行う。
本発明によれば、画像データの複数の領域が特定された場合に、複数の領域を包含する形状を処理対象として画像処理を行う画像フィルターと、複数の領域の各々の形状を処理対象として画像処理を行う画像フィルターとが表示部に表示される。従って、複数の領域を包含する形状を処理対象として画像処理を行うか、複数の領域の各々の形状を処理対象として画像処理を行うかを選択することができる。
【０００９】
また、本発明は、前記領域特定部は、前記画像データの色情報に基づいて前記所定の条件を満たす前記領域を特定する。
本発明によれば、色情報に基づいて所定の条件を満たす領域が特定されるので、例えば、表示される画像が形成された領域と、この領域の背景となる領域とに異なる色を用いることで、これらの領域を特定することができる。
【００１０】
また、本発明は、前記領域特定部は、前記画像データを構成する画素の画素値が、予め設定された範囲内にある領域を背景領域と判定し、判定した前記背景領域以外の前記画像データの領域であって、前記領域の大きさが、予め設定された大きさよりも大きい領域を前記領域として特定する。
本発明によれば、画像データを構成する画素の画素値に基づいて背景領域を特定するため、背景領域を精度よく特定することができる。
【００１１】
また、本発明は、前記領域特定部は、前記画像データの輝度情報に基づいて前記所定の条件を満たす前記領域を特定する。
本発明によれば、輝度情報に基づいて所定の条件を満たす領域が特定されるので、例えば、表示される画像が形成された領域と、この領域の背景となる領域との輝度が異なる画像データにおいて、これらの領域を精度よく特定することができる。
【００１２】
上記課題を解決するため本発明の表示装置の制御方法は、入力された画像データを第１記憶部に記憶させること、前記第１記憶部に記憶された前記画像データのうち、所定の条件を満たし、予め設定された大きさよりも大きい領域を特定すること、特定された前記領域に応じた画像処理を施して表示用の画像データを生成すること、前記表示用の画像データを表示部に表示させること、を有することを特徴とする。
本発明によれば、領域特定部により、所定の条件を満たし、予め設定された大きさよりも大きい領域が特定され、画像生成部により、特定された領域に対して、予め設定された画像処理を施して表示用の画像データが生成される。このため、表示装置に入力される画像データの解像度やアスペクト比が変更されても、所定の条件を満たす領域を特定し、この特定した領域に画像処理を施して表示用の画像データを生成することができる。従って、入力された画像データに視覚的な演出効果を簡易に付与することができる。
【図面の簡単な説明】
【００１３】
【図１】プロジェクターの構成図。
【図２】フレームメモリーに展開された画像データを示す図。
【図３】液晶パネルに描画された画像データを示す図。
【図４】フレームメモリーに展開された画像データを示す図であり、ぼかし領域を示す図。
【図５】フレームメモリーに展開された画像データを示す図であり、ぼかし処理後の画像データを示す図。
【図６】第１実施形態のプロジェクターの動作を示すフローチャート。
【図７】フレームメモリーに展開された画像データを示す図。
【図８】フレームメモリーに展開された画像データを示す図であり、ぼかし領域を画像ごとに設定した場合を示す図。
【図９】フレームメモリーに展開された画像データを示す図であり、ぼかし領域を複数の画像を包含する包含領域にぼかし領域を設定した場合を示す図。
【図１０】第２実施形態のプロジェクターの動作を示すフローチャート。
【発明を実施するための形態】
【００１４】
［第１実施形態］
図１は、本発明の表示装置としてのプロジェクター１００の構成を示す構成図である。プロジェクター１００には、画像供給装置２００から供給される画像データが入力される。プロジェクター１００は、入力された画像データに対して、解像度変換処理、デジタルズーム処理、色調補正処理、輝度補正処理、ぼかし処理等の画像処理を施し、処理した画像データに基づく画像を投射対象に投射する。投射対象は、平面であっても曲面や凹凸面であってもよい。本実施形態では、平面で構成されるスクリーンＳＣに画像を投射する場合について説明する。また、スクリーンＳＣは、壁面等の固定された平面を利用してもよいし、吊り下げ式や立ち上げ式の幕状のスクリーンであってもよい。
【００１５】
プロジェクター１００は、画像入力インターフェイス部（以下、画像入力Ｉ／Ｆ部と略記する）１５１を備える。画像入力Ｉ／Ｆ部１５１は、有線接続用のコネクターと、このコネクターに対応したインターフェイス回路（いずれも不図示）とを備え、画像供給装置２００にケーブル３を介して接続される。
【００１６】
画像入力Ｉ／Ｆ部１５１に採用可能なインターフェイスは、例えば、デジタル映像信号が入力されるＤＶＩインターフェイス、ＵＳＢインターフェイス、ＬＡＮインターフェイス等を用いることができる。また、画像入力Ｉ／Ｆ部１５１のインターフェイスには、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を用いてもよい。さらに、画像入力Ｉ／Ｆ部１５１のインターフェイスには、ＨＤＭＩ（登録商標）規格に準拠したＨＤＭＩコネクター等の汎用インターフェイスを用いることができる。また、画像入力Ｉ／Ｆ部１５１は、アナログ映像信号をデジタル画像データに変換するＡ／Ｄ変換回路を有し、ＶＧＡ端子等のアナログ映像端子により画像供給装置２００に接続される構成としてもよい。なお、画像入力Ｉ／Ｆ部１５１は、有線通信によって画像信号の送受信を行ってもよく、無線通信によって画像信号の送受信を行ってもよい。
画像入力Ｉ／Ｆ部１５１は、画像供給装置２００から画像データが入力されると、入力された画像データを後述する画像処理部１５３及び制御部１７０に出力する。
【００１７】
プロジェクター１００は、光学的な画像を形成してスクリーンＳＣに投射する投射部１１０と、この投射部１１０を駆動する駆動部１２０とを備える。投射部１１０は、光源部１１１、光変調部１１２及び投射光学系１１３を備え、駆動部１２０は、光源駆動部１２１、光変調部駆動部１２２及び投射光学系駆動部１２３を備える。投射部１１０は、本発明の「表示部」に相当する。
【００１８】
光源部１１１は、キセノンランプ、超高圧水銀ランプ、ＬＥＤ（Light Emitting Diode）又はレーザー光源等からなる光源を備える。光源部１１１は、光源が発した光を光変調部１１２に導くリフレクター及び補助リフレクターを備えていてもよい。光源部１１１は、投射光の光学特性を高めるためのレンズ群、偏光板、又は光源が発した光の光量を光変調部１１２に至る経路上で低減させる調光素子等（いずれも不図示）を備えていてもよい。
【００１９】
光源駆動部１２１は、光源部１１１及びバス１９０に接続され、同じくバス１９０に接続された制御部１７０の制御に従って光源部１１１の点灯と消灯とを制御する。
【００２０】
光変調部１１２は、Ｒ（赤），Ｇ（緑）及びＢ（青）の三原色に対応した３枚の液晶パネル１１５を備える。光源部１１１が発する光は、不図示の光学系によりＲＧＢの３色の色光に分離されて、対応する液晶パネル１１５にそれぞれ入射される。３枚の液晶パネル１１５は、透過型の液晶パネルであり、色光が液晶パネル１１５を透過することで変調されて画像光が生成される。各液晶パネル１１５を透過して変調された画像光は、クロスダイクロイックプリズム等の合成光学系によって合成されて投射光学系１１３に射出される。
【００２１】
光変調部駆動部１２２は、光変調部１１２及びバス１９０に接続され、制御部１７０の制御に従って光変調部１１２の各液晶パネル１１５に画像を描画する。
光変調部駆動部１２２は、後述する画像処理部１５３から入力される表示用画像データ（後述する）に基づいてＲ，Ｇ，Ｂごとの駆動信号を生成する。光変調部駆動部１２２は、生成したＲ，Ｇ，Ｂの駆動信号に基づいて光変調部１１２の対応する液晶パネル１１５を駆動して、各液晶パネル１１５に画像を描画する。
【００２２】
投射光学系１１３は、光変調部１１２により変調された画像光をスクリーンＳＣ方向に投射して、スクリーンＳＣ上に結像させる投射レンズ（不図示）を備える。投射レンズは、画角の調整、すなわち投射される画像の大きさを調整（ズーム調整）する機能を有するズームレンズである。また、投射レンズは、焦点位置を調整（フォーカス調整）する機能も有する。
【００２３】
投射光学系駆動部１２３は、投射光学系１１３を駆動するモーターを備え、投射光学系１１３及びバス１９０に接続される。投射光学系駆動部１２３は、制御部１７０の制御に従ってモーターを駆動して投射レンズのレンズ位置を調整し、ズームやフォーカスを調整する。
【００２４】
プロジェクター１００は、操作・表示パネル１３１、操作・表示処理部１３３及びリモコン受光部１３５を備える。操作・表示処理部１３３は、操作・表示パネル１３１、リモコン受光部１３５及びバス１９０に接続される。操作・表示パネル１３１、操作・表示処理部１３３及びリモコン受光部１３５は、本発明の「操作受付部」に相当する。
ユーザーインターフェースとして機能する操作・表示パネル１３１には、各種の操作キーや、ＬＣＤ（Liquid Crystal Display）等を用いた表示パネルが設けられる。操作・表示処理部１３３は、制御部１７０から入力される制御信号に基づいて、操作・表示パネル１３１に各種画面を表示させる。
また、操作・表示パネル１３１には、プロジェクター１００の電源をオン、オフするための電源キーや、各種設定を行うためのメニューキー等の各種操作キーが設けられる。操作・表示処理部１３３は、操作キーが操作されると、操作されたキーに対応した操作信号を制御部１７０に出力する。
【００２５】
リモコン受光部１３５は、リモコン１０５から送信される赤外線信号を受光する。リモコン１０５は、本発明の「操作受付部」に相当する。
ユーザーによって操作されるリモコン１０５は、各種ボタンを備え、これらのボタンの操作に対応して赤外線信号を送信する。操作・表示処理部１３３は、リモコン受光部１３５が受光した赤外線信号をデコードし、リモコン１０５における操作内容を示す操作信号を生成して制御部１７０に出力する。
【００２６】
プロジェクター１００は、無線通信部１３７を備える。無線通信部１３７は、バス１９０に接続され、制御部１７０の制御に従って動作する。
無線通信部１３７は、図示しないアンテナやＲＦ（Radio Frequency）回路等を備え、制御部１７０の制御に従って、外部の装置と無線通信を実行する。無線通信部１３７の無線通信方式には、例えば無線ＬＡＮ（Local Area Network）、Ｂｌｕｅｔｏｏｔｈ（登録商標）、ＵＷＢ（Ultra Wide Band）、赤外線通信等の近距離無線通信方式を採用できる。また、無線通信部１３７の無線通信方式として携帯電話回線を利用した無線通信方式を採用してもよい。
【００２７】
プロジェクター１００は、画像処理系を備える。この画像処理系は、プロジェクター１００の全体を統合的に制御する制御部１７０を中心に構成され、この他に、画像処理部１５３、フレームメモリー１５５、記憶部１６０を備える。制御部１７０、画像処理部１５３及び記憶部１６０は、バス１９０に接続される。画像処理部１５３は、本発明の「画像生成部」に相当する。また、フレームメモリー１５５は、本発明の「第１記憶部」に相当する。また、記憶部１６０は、本発明の「第２記憶部」に相当する。
【００２８】
フレームメモリー１５５は、複数のバンクを有する。各バンクは、画像データの１フレームが書き込み可能な記憶容量をする。フレームメモリー１５５は、例えば、ＳＤＲＡＭ（Synchronous Dynamic Random Access Memory）により構成することができる。ＳＤＲＡＭは、クロックに同期してデータの読み出し及び書き込みを行うＤＲＡＭである。
【００２９】
画像処理部１５３には、画像入力Ｉ／Ｆ部１５１から画像データが入力される。
画像処理部１５３は、入力された画像データをフレームメモリー１５５に展開して、展開した画像データに対して画像処理を行う。画像処理部１５３が行う画像処理には、例えば、解像度変換処理、リサイズ処理、台形歪み補正処理等の形状補正処理、デジタルズーム処理、色調補正処理、輝度補正処理、ぼかし処理等が含まれる。
画像処理部１５３は、制御部１７０の制御に従って、フレームメモリー１５５に展開された画像データを処理する。画像処理部１５３が行う画像処理は、上記の画像処理のうちいずれか１つであってもよいし、複数の処理を組み合わせて実行することも可能である。
画像処理部１５３は、画像処理の終了した画像データを表示用画像データとして所定のタイミングでフレームメモリー１５５から読み出し、光変調部駆動部１２２に出力する。この表示用画像データは、本発明の「表示用の画像データ」に相当する。
【００３０】
記憶部１６０は、例えば、ハードディスク装置等の補助記憶装置である。記憶部１６０は、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部１６０は、制御部１７０が実行する制御プログラムや、画像処理部１５３が実行する画像処理に使用するパラメーター等の各種データを記憶する。
【００３１】
また、記憶部１６０は、複数の画像フィルター１６１を記憶する。画像フィルター１６１は、画像データの画像をぼかす処理（以下、ぼかし処理という）を行うフィルターである。ぼかし処理は、例えば、ある注目画素の画素値と、この注目画素の周辺の画素の画素値とから、これらの画素値が表す色を平均化した色の画素値を生成し、生成した画素値で注目画素の画素値を置き換える処理である。
画像フィルター１６１は、ぼかし処理を行う画像データの領域（以下、対象領域という）の形状に応じて複数用意される。画像フィルター１６１には、例えば、丸形の対象領域に対してぼかし処理を行うフィルター、三角形の対象領域に対してぼかし処理を行うフィルター、四角形の対象領域に対してぼかし処理を行うフィルター等、複数のフィルターが含まれる。なお、画像フィルター１６１がぼかし処理を行う対象領域の形状は、丸や三角、四角等の単純な形状ばかりではなく、複雑な形状に対応してぼかし処理を行うことも可能である。また、画像フィルター１６１は、ぼかし処理を行うフィルターに限られない。例えば、画像フィルター１６１は、丸形などの特定の形状の領域（対象領域）だけ、画像入力Ｉ／Ｆ部１５１に入力された画像データに基づく画像を表示させ、それ以外の領域を任意の色（例えば黒色）とするフィルターであってもよい。
【００３２】
制御部１７０は、ハードウェアとしてＣＰＵ、ＲＯＭ及びＲＡＭ（いずれも図示略）で構成される。ＲＯＭは、不揮発性の記憶装置であり、制御プログラム及びデータを記憶する。ＲＡＭは、ＣＰＵのワークエリアとして使用される。ＣＰＵは、ＲＯＭや記憶部１６０から読み出した制御プログラムをＲＡＭに展開し、展開した制御プログラムを実行してプロジェクター１００の各部を制御し、制御部１７０の機能を実行する。なお、このＣＰＵが光源駆動部１２１、光変調装置駆動部１２２、投射光学系１２３、操作・表示処理部１３３、画像処理部１５３等の機能を実行するようにしてもよい。
また、一つのＣＰＵ（又は半導体チップ）で制御部１７０の機能（又は制御部１７０の機能に加えて、光源駆動部１２１、光変調装置駆動部１２２、投射光学系１２３、操作・表示処理部１３３、画像処理部１５３等の機能）を実行するようにしてもよい。また、複数のＣＰＵ（又は半導体チップ）で制御部１７０の機能（又は制御部１７０の機能に加えて、光源駆動部１２１、光変調装置駆動部１２２、投射光学系１２３、操作・表示処理部１３３、画像処理部１５３等の機能）を実行するようにしてもよい。
【００３３】
制御部１７０は、機能ブロックとして、投射制御部１７１、領域特定部１７２及び領域設定部１７３を備える。これらの機能ブロックは、ＣＰＵが制御プログラムを実行することで実現される機能をブロックとして便宜的に表現したものであり、特定のアプリケーションや、ハードウェアを意味するものではない。領域設定部１７３は、本発明の「画像生成部」に相当する。
【００３４】
投射制御部１７１は、プロジェクター１００の各部を制御して、スクリーンＳＣに画像を投射する。具体的には、投射制御部１７１は、画像処理部１５３に、画像データを処理させる。この際、投射制御部１７１は、画像処理部１５３の処理に必要なパラメーターを記憶部１６０から読み出して画像処理部１５３に出力する。
また、投射制御部１７１は、光変調部駆動部１２２を制御して光変調部１１２の液晶パネル１１５に画像を描画させる。さらに、投射制御部１７１は、光源駆動部１２１を制御して光源部１１１の光源を点灯させ、光源の輝度を調整させる。また、投射制御部１７１は、投射光学系駆動部１２３を制御して、投射レンズのズームやフォーカスを調整する。これにより、光源部１１１の発する光が光変調部１１２の液晶パネル１１５を透過することで変調されて画像光となり、変調された画像光が投射光学系１１３によりスクリーンＳＣに投射される。
【００３５】
領域特定部１７２は、フレームメモリー１５５に記憶される画像データに基づき、所定の条件を満たす画像データの領域を特定する。
領域特定部１７２は、画像データの背景領域１１（図２参照）を特定する。本実施形態において、背景領域１１は、予め設定された背景色で形成された領域であり、画像データの背景となる領域である。本実施形態では、背景色が黒色である場合を例にして説明するが、背景色は黒色に限定されるものではなく、任意の色に設定してもよい。例えば、背景色を白色や灰色に設定してもよい。また、背景色として複数の色を設定してもよい。また、背景色の設定は、ユーザーがリモコン１０５又は操作・表示パネル１３１を操作して設定又は変更することができる。制御部１７０は、リモコン１０５又は操作・表示パネル１３１により受け付けた背景色の設定を設定情報として記憶部１６０に記憶させる。
【００３６】
画像データは、背景領域１１と画像領域１２（図２参照）とに区分けされる。画像領域１２は、例えば、複数の色を有する画像が形成された領域、又は背景色以外の単色の画像が形成された領域である。画像領域１２には、例えば、文字や、記号、図形、イラスト、静止画像（写真）、動画像等が形成される。
【００３７】
図２は、フレームメモリー１５５に展開された画像データを示す図である。
画像データは、背景領域１１と画像領域１２とを有する。本実施形態では背景色が黒色に設定された場合について説明しているが、図２には背景領域１１を横線のハッチングで示す。これは、後述するぼかし領域１４の位置や範囲を図面（図３参照）において明確に示すためである。また、図２に示す画像領域１２には、白地に「Ａ」の文字が形成されている。
【００３８】
領域特定部１７２は、入力された画像データを対象として、画像データを構成する各画素の画素値が、予め設定された範囲内にある画素を検出して背景領域１１を検出する。例えば、背景色として黒色が設定され、画像データがＲＧＢ形式の画像データである場合、領域特定部１７２は、Ｒ値、Ｇ値及びＢ値が例えば「０」〜「３」等の所定範囲内にある画素を検出する。領域特定部１７２は、各画素の画素値としきい値（以下、画素しきい値という）とを比較して、Ｒ，Ｇ及びＢのすべての画素値が画素しきい値以下の画素を検出する。すなわち、領域特定部１７２は、画像データを構成する各画素の色情報に基づいて、背景領域１１を検出する。領域特定部１７２は、Ｒ，Ｇ及びＢのすべての画素値が画素しきい値以下の画素から構成される領域を背景領域１１として特定する。
【００３９】
また、領域特定部１７２は、背景領域１１を特定すると、画像データから背景領域１１を除いた領域の大きさを予め設定されたしきい値（以下、領域しきい値という）と比較する。領域特定部１７２は、領域の大きさが領域しきい値以下の領域は、画像領域１２ではないと判定する。また、領域特定部１７２は、領域の大きさが領域しきい値よりも大きい場合、この領域は画像領域１２であると判定する。領域特定部１７２は、画像領域１２の範囲を示す範囲情報を領域設定部１７３に出力する。この範囲情報は、例えば、画像データの左上を原点とする座標であってもよいし、画像データが展開されたフレームメモリー１５５上の座標であってもよい。
【００４０】
本実施形態では、領域特定部１７２は、画像データを構成する各画素の画素値を画素しきい値と比較して、画素値が画素しきい値以下の領域を背景領域１１として特定している。また、領域特定部１７２は、特定した背景領域１１の除く領域であって、大きさが領域しきい値よりも大きい領域を画像領域１２として特定している。このため、本発明の「所定の条件」は、「画像データの画素値が画素しきい値よりも大きい」に相当する。また、本発明の「予め設定された大きさ」は、「領域しきい値」に相当する。
【００４１】
上述の説明では、領域特定部１７２は、画像データを構成する各画素の画素値を画素しきい値と比較することで背景領域１１を特定した。背景領域１１の他の特定方法として、例えば、画像データのヘッダーに含まれる情報（ヘッダー情報）に基づいて判定してもよい。
例えば、制御部１７０は、画像データのヘッダー情報から取得した情報に基づいて画像データのアスペクト比を算出し、又はヘッダー情報から直接アスペクト比の情報を取得し、算出又は取得したアスペクト比に基づいて黒帯領域が生じるか否かを判定する。黒帯領域とは、画面の上下や左右に挿入される黒い余白領域を指す。典型的には黒い色であるが、必ずしも黒である必要はない。領域特定部１７２は、黒帯領域が生じると判定した場合、この黒帯領域を背景領域１１として設定する。
【００４２】
図３は、液晶パネル１１５に描画された画像データを示す図である。
背景領域１１の他の特定方法として、領域特定部１７２は、画像データのヘッダー情報から画像データの解像度を取得し、取得した解像度とプロジェクター１００の液晶パネル１１５のパネル解像度とに基づいて背景領域１１を特定してもよい。
図３は、８００×６００の解像度の画像データを、パネル解像度が１２８０×８００の液晶パネル１１５に描画した場合を示す。投射レンズのズーム倍率を１倍とした場合、図３に示すように、画像データの上側及び下側にそれぞれ１００画素、左側及び右側にそれぞれ２４０画素の画像データが描画されない領域ができる。領域特定部１７２は、この領域を背景領域１１として判定する。
【００４３】
領域設定部１７３は、領域特定部１７２から画像領域１２の範囲情報が入力されると、処理対象の形状が、特定された画像領域１２の形状に対応する画像フィルター１６１を選択する。例えば、領域特定部１７２により特定された画像領域１２の形状が丸であれば、ぼかし処理を行う領域が丸形に設定されている画像フィルター１６１を選択する。
【００４４】
図４は、フレームメモリー１５５に展開された画像データを示す図であって、特にぼかし処理を行う領域（以下、ぼかし領域という）１４を示す図である。
次に、領域設定部１７３は、ぼかし処理を行う対象となる領域であるぼかし領域１４を設定する。本実施形態では、領域設定部１７３は、背景領域１１と画像領域１２との境界線１３、又は境界線１３から所定距離以内の範囲をぼかし領域１４に設定する。ぼかし処理を行う幅、すなわち境界線１３からの距離は、ユーザーがリモコン１０５又は操作・表示パネル１３１を操作して、任意に変更することができる。
【００４５】
次に、領域設定部１７３は、設定したぼかし領域１４にぼかし処理が行われるように、選択した画像フィルター１６１がぼかし処理を行う範囲の設定（以下、範囲設定という）を拡大又は縮小する。すなわち、領域設定部１７３は、選択した画像フィルター１６１がぼかし処理を行う範囲が、設定したぼかし領域１４よりも狭い場合には、画像フィルター１６１がぼかし処理を行う対象範囲を拡大させる。また、領域設定部１７３は、画像フィルター１６１がぼかし処理を行う範囲が、設定したぼかし領域１４よりも広い場合には、画像フィルター１６１がぼかし処理を行う対象範囲を縮小させる。
【００４６】
領域設定部１７３は、画像フィルター１６１を選択し、画像フィルター１６１の範囲設定を行うと、選択した画像フィルターの情報、及び範囲設定の情報を画像処理部１５３に出力する。画像処理部１５３は、制御部１７０から入力される情報に従って、記憶部１６０から画像フィルター１６１を取得し、取得した画像フィルター１６１に範囲設定を行う。また、画像処理部１５３は、範囲設定を行った画像フィルター１６１を用いて、フレームメモリー１５５に展開された画像データにぼかし処理を行う。
図５は、フレームメモリー１５５に展開された画像データを示す図であり、特に、ぼかし処理後の画像データを示す図である。図５において、縦横線のハッチングで示す領域１５が、ぼかし処理された画像データの領域を示す。
【００４７】
領域設定部１７３は、領域特定部１７２が特定した領域の形状に一致する形状の領域に対してぼかし処理を行う画像フィルター１６１が存在しない場合、特定した領域の形状に近似する形状が処理対象として設定されている画像フィルター１６１を選択する。また、領域設定部１７３は、処理対象とする領域の形状が近似する画像フィルター１６１が複数選択された場合、選択した画像フィルター１６１の識別情報や、領域の形状を示す画像を操作・表示パネル１３１やスクリーンＳＣに表示させてもよい。この領域の形状を示す画像は、画像フィルター１６１がぼかし処理を行う領域の形状を示す画像である。領域設定部１７３は、リモコン１０５や操作・表示パネル１３１の操作により、画像フィルター１６１の選択を受け付ける。領域設定部１７３は、リモコン１０５や操作・表示パネル１３１に受け付けた操作により選択された画像フィルターを、ぼかし処理を行う画像フィルター１６１に設定する。
【００４８】
図６は、第１実施形態のプロジェクター１００の動作を示すフローチャートである。
制御部１７０は、画像供給装置２００から供給される画像データが入力されたか否かを判定する（ステップＳ１）。画像入力Ｉ／Ｆ部１５１は、ケーブル３を介して画像データが入力されると、画像データが入力された旨を制御部１７０に通知する。制御部１７０は、画像入力Ｉ／Ｆ部１５１から画像データが入力された旨の通知を受けていない場合、画像データが入力されていないと判定する（ステップＳ１／ＮＯ）。この場合、制御部１７０は、実行可能な他の処理があればこの他の処理を実行して、画像データが入力されるまで待機する。
【００４９】
また、制御部１７０は、画像入力Ｉ／Ｆ部１５１から画像データが入力された旨の通知を受けた場合、画像データが入力されたと判定し（ステップＳ１／ＹＥＳ）、画像入力Ｉ／Ｆ部１５１に、入力された画像データを画像処理部１５３に出力させる。画像処理部１５３は、画像データが入力されると、入力された画像データをフレームメモリー１５５に展開する（ステップＳ２）。
【００５０】
また、画像入力Ｉ／Ｆ部１５１は、入力された画像データを制御部１７０にも出力する。制御部１７０は、画像入力Ｉ／Ｆ部１５１から入力された画像データを解析して背景領域１１を検出する。まず、制御部１７０は、入力された画像データから、背景色として設定された色成分を有する画素の領域を検出する（ステップＳ３）。具体的には、制御部１７０は、入力される画像データを構成する各画素の画素値と、画素しきい値とを比較して、画素値がしきい値以下の画素によって構成される領域を検出する。制御部１７０は、背景色の色成分を有する画素の領域が検出されなかった場合には（ステップＳ３／ＮＯ）、この処理フローを終了させる。
【００５１】
また、制御部１７０は、背景色の色成分を有する画素の領域が検出された場合（ステップＳ３／ＹＥＳ）、この検出された領域を背景領域１１として決定する（ステップＳ４）。次に、制御部１７０は、画像データから背景領域１１を除いた領域の大きさを領域しきい値と比較して画像領域１２を検出する（ステップＳ５）。制御部１７０は、領域しきい値よりも大きい領域が存在しない場合（ステップＳ５／ＮＯ）、画像領域１２は存在しないと判定してこの処理フローを終了する。また、制御部１７０は、領域しきい値よりも大きい領域が存在する場合（ステップＳ５／ＹＥＳ）、この領域を画像領域１２として決定する（ステップＳ６）。
【００５２】
次に、制御部１７０は、決定した画像領域１２の形状に基づいて画像フィルター１６１を選択する（ステップＳ７）。また、制御部１７０は、決定した画像領域１２の形状に基づいてぼかし領域１４を設定し、画像フィルター１６１が、設定したぼかし領域１４にぼかし処理を行うように範囲設定を行う（ステップＳ８）。制御部１７０は、画像フィルター１６１及び範囲設定を行うと、選択した画像フィルター及び範囲設定の情報を画像処理部１５３に出力する。
【００５３】
画像処理部１５３は、制御部１７０から入力される情報に従って、記憶部１６０から画像フィルター１６１を取得し、取得した画像フィルター１６１に範囲設定を行う。また、画像処理部１５３は、範囲設定を行った画像フィルター１６１を用いて、フレームメモリー１５５に展開された画像データにぼかし処理を行う（ステップＳ９）。
【００５４】
画像処理部１５３は、ぼかし処理が終了すると、フレームメモリー１５５に展開された画像データを表示用画像データとして読み出し、光変調部駆動部１２２に出力する。この後、光変調部駆動部１２２が入力された表示用画像データに基づき液晶パネル１１５を駆動する動信号を生成し、生成した駆動信号に基づいて液晶パネル１１５に画像を描画する。光源部１１１から出射された光が液晶パネル１１５を透過して画像光に変調され、変調された画像光が投射光学系１１３によりスクリーンＳＣに投射される（ステップＳ１０）。
【００５５】
また、上述した説明では、領域特定部１７２は、画像データを構成する各画素の画素値と、画素しきい値とを比較して、画素値が画素しきい値以下の画素から構成される領域を背景領域１１として特定した。これ以外の領域特定部１７２の処理として画像データを構成する各画素の画素値と、画素しきい値とを比較して、画素値が画素しきい値よりも大きい画素から構成される領域を画像領域１２として特定してもよい。
【００５６】
以上説明したように本実施形態は、フレームメモリー１５５と、領域特定部１７２と、領域設定部１７３及び画像処理部１５３と、投射部１１０とを備える。フレームメモリー１５５には、入力された画像データが展開される。領域特定部１７２は、フレームメモリー１５５に展開された画像データのうち、所定の条件を満たし、予め設定されたしきい値よりも大きい領域を特定する。具体的には、領域特定部１７２は、画像データの画素値と、予め設定された画素しきい値とを比較して、画素値が画素しきい値以下の画素によって構成される領域を背景領域１１として特定する。また、領域特定部１７２は、特定した背景領域１１を画像データの領域であって、領域の大きさが予め設定された領域しきい値よりも大きい領域を画像領域１２として特定する。領域設定部１７３は、特定された画像領域１２と背景領域１１との境界線１３を含む領域をぼかし処理を行うぼかし領域１４に設定する。画像処理部１５３は、領域設定部１７３により設定された画像データのぼかし領域１４に、予め設定された画像処理としてのぼかし処理を行い、表示用画像データを生成する。投射部１１０は、ぼかし処理を施した表示用画像データを液晶パネル１１５に描画し、光源部１１１からの光を、この液晶パネル１１５で変調して画像光を生成し、スクリーンＳＣに投射する。
従って、プロジェクター１００に入力される画像データの解像度やアスペクト比が変更されても、画像領域１２を特定して、特定した画像領域１２の周囲に画像処理を施して表示用画像データを生成することができる。このため、入力された画像データに視覚的な演出効果を簡易に付与することができる。
【００５７】
また、プロジェクター１００は、予め設定された形状の画像データを処理対象として画像処理を行う画像フィルター１６１を記憶する記憶部１６０を備える。領域設定部１７３は、領域特定部１７２により特定された領域の形状に対応した形状が処理対象として設定されている画像フィルター１６１を選択して、選択した画像フィルター１６１により画像処理を施すように画像処理部１５３に指示する。また、領域設定部１７３は、特定された領域の大きさと、画像フィルターが処理対象とする領域の形状の大きさとが異なる場合に、画像フィルターが画像処理を行う領域の大きさを拡大又は縮小する。
従って、特定した領域の形状及び大きさに対応した画像フィルター１６１により画像処理を行うことができる。
【００５８】
また、プロジェクター１００は、操作を受け付けるリモコン１０５又は操作・表示パネル１３１を備える。領域設定部１７３は、領域特定部１７２により特定された領域の形状に近似する形状が処理対象として設定されている画像フィルター１６１を操作・表示パネル１３１に表示させる。また、リモコン１０５又は操作・表示パネル１３１により受け付けた操作により選択された画像フィルター１６１により、画像処理を行うように画像処理部１５３に指示する。
従って、ユーザーは、特定された領域の形状に最も近い形状を処理対象とする画像フィルター１６１を選択して、選択した画像フィルター１６１によるぼかし処理を行わせることができる。
【００５９】
また、領域特定部１７２は、画像データの色情報に基づいて背景領域１１を特定する。
従って、背景領域１１と画像領域１２とに異なる色が用いられた画像データであれば、背景領域１１と画像領域１２とを精度よく特定することができる。
【００６０】
また、領域特定部１７２は、画像データを構成する画素の画素値が、予め設定された範囲内にある領域を背景領域１１と判定する。領域特定部１７２は、判定した背景領域１１以外の画像データの領域であって、領域の大きさが、予め設定された大きさよりも大きい領域を画像領域１２として特定する。
従って、背景領域１１や画像領域１２を精度よく特定することができる。
【００６１】
また、領域特定部１７２は、画像データの輝度情報に基づいて所定の条件を満たす領域を特定する。
従って、背景領域１１が黒画像データである場合に、背景領域１１と画像領域１２とを精度よく特定することができる。
【００６２】
［第２実施形態］
添付図面を参照して本発明の第２実施形態について説明する。第２実施形態のプロジェクター１００の構成は、第１実施形態と同一であるため、プロジェクター１００の構成の説明は省略する。
【００６３】
上述した第１実施形態では、画像データに形成された画像領域１２が１つである場合について説明した。本実施形態では、画像データに複数の画像領域１２が形成されている場合について説明する。
【００６４】
領域設定部１７３は、複数の画像領域１２が検出された場合に、複数の画像領域１２の各々に対してぼかし処理を行うのか、複数の画像領域１２を包含する領域（以下、包含領域１６という）を設定して、この包含領域１６にぼかし処理を行うのかを選択する。以下、複数の画像領域１２の各々に対してぼかし処理を行う場合を第１処理といい、複数の画像領域１２を包含する包含領域１６に対してぼかし処理を行う場合を第２処理という。
例えば、領域設定部１７３は、記憶部１６０に記憶された設定情報に従って第１処理を行うのか第２処理を行うのかを選択してもよい。この設定情報は、ユーザーが操作・表示パネル１３１又はリモコン１０５を操作して予め設定した情報である。
また、領域設定部１７３は、画像データから複数の画像領域１２が検出された場合に、操作・表示パネル１３１又はスクリーンＳＣに、所定のメッセージを表示させてもよい。このメッセージには、例えば、複数の画像領域１２が検出されたことを通知するメッセージが含まれる。また、このメッセージには、複数の画像領域１２のそれぞれに対して個別にぼかし処理を行うのか、複数の画像領域１２を包含する包含領域に対してぼかし処理を行うのかを問い合わせるメッセージが含まれる。
【００６５】
図７は、フレームメモリー１５５に展開された画像データを示す図である。特に、図７は、２つの画像領域１２が含まれる画像データを示す図である。図８は、第１処理が選択された場合に、領域設定部１７３が設定するぼかし領域１４を示す図である。また、図９は、第２処理が選択された場合に、領域設定部１７３が設定する包含領域１６と、この包含領域１６の周囲に設定されたぼかし領域１４とを示す図である。
【００６６】
図９には、包含領域１６として２つの画像領域１２を包含する円形の領域を設定した場合を示すが、包含領域１６の形状は、ユーザーにより任意に変更可能である。
例えば、領域設定部１７３は、記憶部１６０が記憶する複数の画像フィルター１６１がぼかし処理を行う対象領域の形状を示す画像を、スクリーンＳＣ又は操作・表示パネル１３１に表示させる。ユーザーによって操作・表示パネル１３１又はリモコン１０５が操作され、対象領域の形状が選択されると、領域設定部１７３は、選択された対象領域の形状と同一の形状の包含領域１６を設定する。また、領域設定部１７３は、包含領域１６の形状が設定されると、複数の画像領域１２を包含する包含領域１６を設定して、この包含領域１６と背景領域１１との境界線を含む範囲にぼかし領域１４を設定する。
領域設定部１７３は、選択された画像フィルター１６１、及び設定した範囲設定の情報を画像処理部１５３に出力して、画像処理部１５３にぼかし処理を実行させる。
【００６７】
図１０は、第２実施形態のプロジェクター１００の動作を示すフローチャートである。
図１０に示すステップＳ２１〜Ｓ２６までの処理は、図６に示すフローチャートのステップＳ１〜Ｓ６の動作と同一であるため説明を省略する。
【００６８】
制御部１７０は、画像領域１２を決定すると（ステップＳ２６）、決定した画像領域１２以外の領域である画像領域１２が画像データに複数含まれるか否かを判定する（ステップＳ２７）。制御部１７０は、画像データから背景領域１１を除外した領域に、独立した領域が複数含まれるか否かを判定する。独立した領域とは、画像データから背景領域１１を除いた領域であって、領域を区切る境界線１３が他の領域の境界線とは交わらない領域である。制御部１７０は、画像データに複数の画像領域１２が存在しないと判定した場合（ステップＳ２７／ＮＯ）、図６に示すフローチャートのステップＳ７に移行する。
【００６９】
また、制御部１７０は、画像データに複数の画像領域１２が含まれると判定した場合（ステップＳ２７／ＹＥＳ）、これらの複数の画像領域１２に対する処理として第２処理が選択されたか否かを判定する（ステップＳ２８）。制御部１７０は、複数の画像領域１２に対する処理として第１処理が選択されたと判定した場合（ステップＳ２８／ＮＯ）、図６に示すフローチャートのステップＳ７に移行し、画像領域１２のそれぞれに対してステップＳ７〜Ｓ１０のぼかし処理を行う。
【００７０】
また、制御部１７０は、複数の画像領域１２に対する処理として第２処理が選択されたと判定した場合（ステップＳ２８／ＹＥＳ）、まず、複数の画像領域１２を包含する包含領域１６を設定する。例えば、制御部１７０は、記憶部１６０が記憶する複数の画像フィルター１６１がぼかし処理を行う対象領域の形状を示す画像を、スクリーンＳＣ又は操作・表示パネル１３１に表示させ、ユーザーにより形状を選択する入力を受け付ける。制御部１７０は、ユーザーのリモコン１０５又は操作パネル１３１の操作により、形状を選択する入力を受け付けると、選択された形状であって、複数の画像領域１２のすべてが含まれるように包含領域１６を設定する（ステップＳ２９）。
【００７１】
また、制御部１７０は、包含領域１６を設定すると、設定した包含領域１６と背景領域１１との境界線を含む範囲にぼかし領域１４を設定する。また、制御部１７０は、画像フィルターにより行うぼかし処理の対象領域が、設定したぼかし領域１４となるように画像フィルターの範囲設定を行う（ステップＳ３０）。
制御部１７０は、包含領域１６及び画像フィルターの範囲設定を行うと、図６に示すフローチャートと同様に、画像処理部１５３に、画像フィルターによるぼかし処理を実行させる（ステップＳ３１）。また、制御部１７０は、画像処理部１５３によるぼかし処理が終了すると、投射部１１０を制御して、処理後の画像をスクリーンＳＣに投射させる（ステップＳ３２）。
【００７２】
以上説明したように第２実施形態は、複数の画像領域１２が特定された場合に、画像フィルター１６１をスクリーンＳＣ又は操作・表示パネル１３１に表示させる。この画像フィルター１６１は、複数の画像領域１２を包含する包含領域１６の形状に対応する形状が処理対象として設定されているフィルター、又は複数の画像領域１２の各々の形状に対応した形状が処理対象として設定されているフィルターである。従って、複数の画像領域１２を包含する形状を処理対象として画像処理を行うか、複数の画像領域１２の各々の形状を処理対象として画像処理を行うかを選択することができる。
【００７３】
上述した実施形態は、本発明の好適な実施の形態である。但し、上述した実施形態に限定されるものではなく、本発明の要旨を逸脱しない範囲内において種々の変形実施が可能である。
例えば、上述した実施形態では、画像データに対してぼかし処理を行う場合について説明したが、画像データの背景領域１１にモザイク処理を実施するものであってもよい。モザイク処理とは、対象領域を格子状の小領域に分割し、各小領域に対してランダムに密度を定めた網掛けあるいはハッチを施す処理である。
【００７４】
また、上述した第１実施形態及び第２実施形態では、画像データを構成する画素の画素値、すなわち色情報に基づいて、各画素が背景領域１１の画素であるのか、画像領域１２の画素であるのかを判定した。これ以外の判定方法として、画像データの輝度値に基づいて、背景領域１１と画像領域１２とを判定してもよい。例えば、背景領域１１の色が黒色である場合、画像データの輝度値に基づいて画像データの背景領域１１と画像領域１２とを判定することができる。
【００７５】
また、上述した実施形態では、プロジェクター１００を、透過型液晶パネルを用いた液晶プロジェクターとして説明したが、反射型の液晶パネルやデジタルミラーデバイスを用いたプロジェクターであってもよい。また、表示装置は、スクリーンＳＣに画像を投射するプロジェクターに限定されず、液晶表示パネルに画像を表示する液晶モニター又は液晶テレビであってもよい。また、表示装置は、ＰＤＰ（プラズマディスプレイパネル）に画像を表示するモニター装置又はテレビ受像機であってもよい。また、表示装置は、ＯＬＥＤ（Organic light-emitting diode）、ＯＥＬ（Organic Electro-Luminescence）等と呼ばれる有機ＥＬ表示パネルに画像を表示するモニター装置又はテレビ受像機であってもよい。
【００７６】
また、図１に示すプロジェクター１００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、また、ハードウェアで実現されている機能の一部をソフトウェアで実現してもよい。
【００７７】
また、図６及び図１０に示すフローチャートの処理単位は、プロジェクター１００の制御部１７０の処理を理解容易にするために、主な処理内容に応じて分割したものである。図６及び図１０のフローチャートに示す処理単位の分割の仕方や名称によって本発明が制限されることはない。また、制御部１７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００７８】
３…ケーブル、１１…背景領域、１２…画像領域、１３…境界線、１４…ぼかし領域、１６…包含領域、１００…プロジェクター、１０５…リモコン、１１０…投射部（表示部）、１１１…光源部、１１２…光変調部、１１３…投射光学系、１１５…液晶パネル、１２０…駆動部、１２１…光源駆動部、１２２…光変調部駆動部、１２３…投射光学系駆動部、１３１…操作パネル、１３３…操作・表示処理部、１３５…リモコン受光部、１３７…無線通信部、１５１…画像入力Ｉ／Ｆ部、１５３…画像処理部（画像生成部）、１５５…フレームメモリー（第１記憶部）、１６０…記憶部（第２記憶部）、１６１…画像フィルター、１７０…制御部、１７１…投射制御部、１７２…領域特定部、１７３…領域設定部（画像生成部）、１９０…バス、２００…画像供給装置、ＳＣ…スクリーン。
【図１】
2018163285.tif 000003
【図２】
2018163285.tif 000004
【図３】
2018163285.tif 000005
【図４】
2018163285.tif 000006
【図５】
2018163285.tif 000007
【図６】
2018163285.tif 000008
【図７】
2018163285.tif 000009
【図８】
2018163285.tif 000010
【図９】
2018163285.tif 000011
【図１０】
2018163285.tif 000012